(57)【要約】      （修正有）【課題】不正なキーが挿入されて回動操作されてもシリンダ体内のタンブラの破損を防止することができるシリンダ錠を提供する。【解決手段】シリンダ錠は、ケーシング内にシリンダ体１１０およびロック機構１３０を備えた錠本体で構成されている。シリンダ体１１０は、回転摺動することによりロック機構１３０を施錠または開錠する筒体であり、第１タンブラ保持体１１２，１１３，１１４および第２タンブラ保持体１１５，１１６，１１７を備えている。第１タンブラ保持体１１２，１１３，１１４および第２タンブラ保持体１１５，１１６，１１７は、シリンダ体１１０の外周面から突出する外周面タンブラとそれぞれ対をなす第１鍵穴タンブラおよび第２鍵穴タンブラを保持する。第１鍵穴タンブラおよび第２鍵穴タンブラは、鍵穴１１１から突出する第１鍵穴突起部および第２鍵穴突起部１２３ａを備えている。【選択図】図２
2012036702.tif 000002
【特許請求の範囲】
【請求項１】
平面部および同平面部から凹んだディンプル部を有したキーと、
前記キーが挿入される鍵穴が形成された筒状のシリンダ体と、
前記シリンダ体を摺動可能な状態で収容するケーシングとを備えたシリンダ錠において、
前記シリンダ体は、
前記シリンダ体の外周面に向ってスライドすることより同シリンダ体の外周面に出没可能な外周面突起部が同シリンダ体の外周面に突出するように支持された少なくとも２つの外周面タンブラと、
前記外周面タンブラのうちの１つと対を成し、前記鍵穴に向ってスライドすることより同鍵穴内に出没可能な第１鍵穴突起部が同鍵穴内に突出するように支持されるとともに前記第１鍵穴突起部の突出時に前記対を成す前記外周面タンブラのスライドを規制する第１規制部を有する第１鍵穴タンブラと、
前記外周面タンブラのうちの他の１つと対を成し、前記鍵穴に向ってスライドすることより同鍵穴内に出没可能な第２鍵穴突起部が同鍵穴内に突出するように支持されるとともに前記第２鍵穴突起部の没入時に前記対を成す前記外周面タンブラのスライドを規制する第２規制部を有する第２鍵穴タンブラとを備え、
前記キーは、
前記平面部が前記第１鍵穴突起部に対応する位置に形成されるとともに、前記ディンプル部が前記第２鍵穴突起部に対応する位置に形成されており、
前記ケーシングは、
前記シリンダ体との摺動面の一部に、前記外周面突起部と嵌り合うロック凹部を備えることを特徴とするシリンダ錠。
【請求項２】
請求項１に記載したシリンダ錠において、
前記シリンダ体は、
前記第１鍵穴タンブラと同第１鍵穴タンブラと対を成す前記外周面タンブラとをそれぞれスライド可能に保持する第１収容凹部を備えた第１タンブラ保持体と、
前記第２鍵穴タンブラと同第２鍵穴タンブラと対を成す前記外周面タンブラとをそれぞれスライド可能に保持する第２収容凹部を備えた第２タンブラ保持体とで構成されることを特徴とするシリンダ錠。
【請求項３】
請求項１または請求項２に記載したシリンダ錠において、
前記シリンダ体は、
それぞれ複数の前記第１鍵穴タンブラおよび前記第２鍵穴タンブラと、
前記各複数の前記第１鍵穴タンブラおよび前記第２鍵穴タンブラに対応する数の前記外周面タンブラとで構成されていることを特徴とするシリンダ錠。
【請求項４】
請求項１ないし請求項３のうちのいずれか１つに記載したシリンダ錠において、
前記外周面タンブラは、前記シリンダ体を押圧する外周面板バネ部を有することにより、前記外周面突起部を前記シリンダ体の外周面に向って押圧し、
前記第１鍵穴タンブラおよび前記第２鍵穴タンブラは、前記シリンダ体を押圧する鍵穴板バネ部をそれぞれ有することにより、前記第１鍵穴突起部および前記第２鍵穴突起部を前記鍵穴内に向ってそれぞれ押圧することを特徴とするシリンダ錠。
【請求項５】
請求項１ないし請求項４のうちのいずれか１つに記載したシリンダ錠において、
前記キー、前記シリンダ体および前記ケーシングは、合成樹脂素材で構成されていることを特徴とするシリンダ錠。
【発明の詳細な説明】
【技術分野】
【０００１】
本発明は、キーを挿し込む筒状のシリンダ体をケーシング内で回転させることにより鍵を施錠および開錠することができるシリンダ錠に関する。
【背景技術】
【０００２】
従来から、キーを挿し込む筒状のシリンダ体をケーシング内で回転させることにより鍵を施錠および開錠することができるシリンダ錠がある。一般に、シリンダ錠は、例えば、下記特許文献１に示すように、筒状のシリンダ体と同シリンダ体を収容する筒状のケーシングとの間に軸状のタンブラピンを介在させて、シリンダ体に挿入されるキーによりタンブラピンのシアラインを一致させることにより鍵の施錠および開錠ができるように構成されている。
【先行技術文献】
【特許文献】
【０００３】
【特許文献１】特開２００８−７５２７３号公報
【０００４】
このようなシリンダ錠においては、正規のキーとは異なる不正なキーをシリンダ体に挿入した場合には、タンブラピンのシアラインが一致しないため錠が開錠することはない。しかしながら、タンブラピンのシアラインが一致しない状態でシリンダ体を回動操作した場合、タンブラピンにせん断荷重がかかるため、不正なキーによって位置決めされるタンブラピンの位置によっては、タンブラピンに過大なせん断荷重が掛かってタンブラピンを破損することが危惧される。
【０００５】
本発明は上記問題に対処するためなされたもので、その目的は、正規のキーとは異なる不正なキーが挿入されて回動操作された場合であってもシリンダ体内のタンブラの破損を防止することができるシリンダ錠を提供することにある。
【発明の概要】
【０００６】
上記目的を達成するため、請求項１に係る本発明の特徴は、平面部および同平面部から凹んだディンプル部を有したキーと、キーが挿入される鍵穴が形成された筒状のシリンダ体と、シリンダ体を摺動可能な状態で収容するケーシングとを備えたシリンダ錠において、シリンダ体は、シリンダ体の外周面に向ってスライドすることより同シリンダ体の外周面に出没可能な外周面突起部が同シリンダ体の外周面に突出するように支持された少なくとも２つの外周面タンブラと、外周面タンブラのうちの１つと対を成し、鍵穴に向ってスライドすることより同鍵穴内に出没可能な第１鍵穴突起部が同鍵穴内に突出するように支持されるとともに第１鍵穴突起部の突出時に前記対を成す外周面タンブラのスライドを規制する第１規制部を有する第１鍵穴タンブラと、外周面タンブラのうちの他の１つと対を成し、鍵穴に向ってスライドすることより同鍵穴内に出没可能な第２鍵穴突起部が同鍵穴内に突出するように支持されるとともに第２鍵穴突起部の没入時に前記対を成す外周面タンブラのスライドを規制する第２規制部を有する第２鍵穴タンブラとを備え、キーは、平面部が第１鍵穴突起部に対応する位置に形成されるとともに、ディンプル部が第２鍵穴突起部に対応する位置に形成されており、ケーシングは、シリンダ体との摺動面の一部に、外周面突起部と嵌り合うロック凹部を備えることにある。
【０００７】
この場合、請求項２に示すように、前記シリンダ錠において、例えば、シリンダ体は、第１鍵穴タンブラと同第１鍵穴タンブラと対を成す外周面タンブラとをそれぞれスライド可能に保持する第１収容凹部を備えた第１タンブラ保持体と、第２鍵穴タンブラと同第２鍵穴タンブラと対を成す外周面タンブラとをそれぞれスライド可能に保持する第２収容凹部を備えた第２タンブラ保持体とで構成すると良い。
【０００８】
このように構成した請求項１に係る本発明の特徴によれば、シリンダ錠は、ケーシングの内周面に嵌り合う外周面突起部を備える少なくとも２つの外周面タンブラのスライド変位が、シリンダ体の鍵穴へのキーの挿入によりスライド変位する第１鍵穴タンブラおよび第２鍵穴タンブラによってそれぞれ規制される構成となっている。すなわち、シリンダ錠は、外周面タンブラのスライド変位が第１鍵穴タンブラおよび第２鍵穴タンブラによって許容されない限り外周面突起部がシリンダ体の外周面より内側に変位することはない。したがって、シリンダ体の外周面上における外周面突起部の突出量がシリンダ体の鍵穴に挿入されるキーの形状に寄って変化することがないため、外周面突起部の突出量に応じてせん断荷重が掛かる位置が変化することがなく、外周面突起部には常に一定の範囲にせん断荷重が掛かる。これにより、正規のキーとは異なる不正なキーが挿入されて回動操作された場合であってもシリンダ体内のタンブラの破損を防止することができる。
【０００９】
また、請求項３に係る本発明の他の特徴は、前記シリンダ錠において、シリンダ体は、それぞれ複数の第１鍵穴タンブラおよび第２鍵穴タンブラと、各複数の第１鍵穴タンブラおよび第２鍵穴タンブラに対応する数の外周面タンブラとで構成されていることにある。
【００１０】
このように構成した請求項３に係る本発明の他の特徴によれば、シリンダ体は、それぞれ対を構成する第１鍵穴タンブラと外周面タンブラ、および第２鍵穴タンブラと外周面タンブラをそれぞれ複数組ずつ備えている。これにより、シリンダ錠は、開錠するためのタンブラ数が増加するため不正なキーや操作による開錠が防止されて信頼性が向上する。
【００１１】
また、請求項４に係る本発明の他の特徴は、前記シリンダ錠において、外周面タンブラは、シリンダ体を押圧する外周面板バネ部を有することにより、外周面突起部をシリンダ体の外周面に向って押圧し、第１鍵穴タンブラおよび第２鍵穴タンブラは、シリンダ体を押圧する鍵穴板バネ部をそれぞれ有することにより、第１鍵穴突起部および第２鍵穴突起部を鍵穴内に向ってそれぞれ押圧することにある。
【００１２】
このように構成した請求項４に係る本発明の他の特徴によれば、シリンダ錠における外周面タンブラは、外周面突起部をシリンダ体の外周面に突出させるための外周面板バネ部を備えている。また、シリンダ錠における第１鍵穴タンブラおよび第２鍵穴タンブラは、第１鍵穴突起部および第２鍵穴突起部をそれぞれ鍵穴内に突出させるための鍵穴板バネ部を備えている。すなわち、外周面タンブラ、第１鍵穴タンブラおよび第２鍵穴タンブラは、突起部と同突起部を押圧するための板バネ部とを備えている。これにより、シリンダ錠の部品点数を減らして構成を簡単にすることができる。
【００１３】
また、請求項５に係る本発明の他の特徴は、前記シリンダ錠において、キー、シリンダ体およびケーシングは、合成樹脂素材で構成されていることにある。
【００１４】
このように構成した請求項５に係る本発明の他の特徴によれば、キー、シリンダ体およびケーシングが樹脂素材で構成されている。すなわち、従来、シリンダ錠は、構成部材の機械的強度の関係上、合成樹脂化が困難であった。しかし、本発明に係るシリンダ錠は、タンブラの構成を工夫することによりタンブラに掛かる機械的負荷を軽減してシリンダ錠の完全樹脂化を実現したものである。これにより、従来、鉄などの金属製のシリンダ錠を用い難かった環境、例えば、水分が付着し易い環境でも腐食の心配なく用いることができる。また、シリンダ錠を樹脂製とすることにより、金属探知機での検出を回避でき適用用途を拡げることができる。なお、合成樹脂素材としては、ポリミド樹脂（ＰＩ）、ポリアセタール樹脂（ＰＯＭ）、ポリエーテルエーテルケトン樹脂（ＰＥＥＫ）、ポリエステル樹脂（ＰＶＣ）、ポリウレタン樹脂（ＰＵＲ）、ポリカーボネート樹脂（ＰＣ）、ポリスチレン樹脂（ＰＳ）、ナイロン樹脂（６６Ｎ，ＵＭＣ）またはポリプロピレン（ＰＰ）などを用いるとよい。
【図面の簡単な説明】
【００１５】
【図１】本発明に係るシリンダ錠の全体構成を概略的に示す斜視図である。
【図２】図１に示すシリンダ錠において上カバーを省略した斜視図である。
【図３】図１に示すシリンダ錠を斜め下方から見た分解斜視図である。
【図４】、図１および図５に示すＡ−Ａ線から見たシリンダ錠におけるケーシングのみを断面としたシリンダ錠の一部破断側面図である。
【図５】図４に示すＢ−Ｂ線から見たシリンダ錠におけるケーシングのみを断面としたシリンダ錠の一部破断平面図である。
【図６】図２に示したシリンダ体およびロック機構を下方から見た分解斜視図である。
【図７】（Ａ），（Ｂ)は、シリンダ体を構成する第１タンブラ保持体の外観構成の概略を示しており、（Ａ）は外周面タンブラおよび第１鍵穴タンブラがそれぞれ突出した状態を示す第１タンブラ保持体の平面図であり、（Ｂ）は第１鍵穴タンブラが没入することにより外周面タンブラが没入可能となって没入した状態を示す第１タンブラ保持体の平面図である。
【図８】シリンダ体を構成する第２タンブラ保持体の外観構成の概略を示しており、外周面タンブラおよび第２鍵穴タンブラがそれぞれ突出した状態を示す第２タンブラ保持体の平面図である。
【発明を実施するための形態】
【００１６】
以下、本発明に係るシリンダ錠の一実施形態について図面を参照しながら説明する。図１は、本発明に係るシリンダ錠１００の全体構成を概略的に示す斜視図である。また、図２は、図１に示すシリンダ錠１００において上カバー１０３を省略した斜視図である。また、図３は、図１に示すシリンダ錠１００を斜め下方から見た分解斜視図である。また、図４は、図１および図５に示すＡ−Ａ線から見たシリンダ錠１００におけるケーシング１０２のみを断面としたシリンダ錠１００の一部破断側面図である。また、図５は、図４に示すＢ−Ｂ線から見たシリンダ錠１００におけるケーシング１０２のみを断面としたシリンダ錠１００の一部破断平面図である。なお、本明細書において参照する各図は、本発明の理解を容易にするために一部の構成要素を誇張して表わすなど模式的に表している。このため、各構成要素間の寸法や比率などは異なっていることがある。このシリンダ錠１００は、図示しないバッグ（鞄）の開口部に設けられた開口部開閉用のファスナを閉じ位置でロックするために同開口部の端部に設けられるものである。
【００１７】
（シリンダ錠１００の構成）
シリンダ錠１００は、主として、錠本体１０１と同錠本体１０１を操作するためのキー１４０とで構成されている。錠本体１０１は、シリンダ錠１００における鍵の施錠および開錠を行なうための構造体であり、施錠および開錠の対象となるバッグ（図示せず）の開口部端部に設けられる。この錠本体１０１は、主として、ケーシング１０２、シリンダ体１１０およびロック機構１３０によって構成されている。ケーシング１０２は、シリンダ錠１００の筐体を構成する合成樹脂製の箱型部品であり、上カバー１０３と同上カバー１０３の底面を塞ぐ底面カバー１０６とで構成されている。
【００１８】
上カバー１０３は、詳しくは後述するシリンダ体１１０およびロック機構１３０をそれぞれ収容する略船形状の部材であり、長手方向の一方が円筒状に形成されたシリンダ収容部１０４と同長手方向の他方が方形状に窪んだロック機構収容部１０５とで構成されている。シリンダ収容部１０４は、シリンダ体１００の上面を露出させた状態で同シリンダ体１１０を摺動可能に収容する部分である。このシリンダ収容部１０４を構成する円筒状の内周面には、互いに対向する内周面上に同内周面から外側に溝状に凹んだロック凹部１０４ａがそれぞれ形成されている。
【００１９】
ロック機構収容部１０５は、ロック機構１３０を収容する部分である。このロック機構収容部１０５を構成する天井面には、底面カバー１０６に向って延びる案内軸１０５ａと、正面視略楕円形状に凹んだ逃げ部１０５ｂとがそれぞれ形成されている。また、ロック機構収容部１０５を構成する側面部は、同側面部の端部の一部が方形状に切欠かれており、底面カバー１０６とともにケーシング１０２内に連通する開口部１０７を形成している。開口部１０７は、図示しないバッグの開口部に設けられた開口部開閉用のファスナの把持部Ｔを出し入れするための貫通孔である。
【００２０】
底面カバー１０６は、前記シリンダ体１１０とロック機構１３０とがそれぞれ収容された上カバー１０３の底部側を塞ぐ板状体である。これらの上カバー１０３と底面カバー１０６とは、図示しないビスで互いに接続固定されてケーシング１０２を一体的に構成している。
【００２１】
シリンダ体１１０は、シリンダ収容部１０４内にて回転摺動することによりロック機構１３０を施錠状態または開錠状態にする合成樹脂製の筒体であり、同筒体の中心部に軸線方向に貫通する鍵穴１１１が形成されて構成されている。このシリンダ体１１０は、図６に示すように、各３つずつの第１タンブラ保持体１１２，１１３，１１４および第２タンブラ保持体１１５，１１６，１１７と、１枚の蓋プレート１１８とをそれぞれ重ね合わせて構成されている。
【００２２】
第１タンブラ保持体１１２，１１３，１１４は、互いに対を成す一組の外周面タンブラ１２１と第１鍵穴タンブラ１２２とをそれぞれ保持する円形鍔状に形成された合成樹脂製の部品である。これらの第１タンブラ保持体１１２，１１３，１１４は、互いに略同様の形状に構成されているため、共通部分について第１タンブラ保持体１１２のみを用いて説明する。この第１タンブラ保持体１１２における一方の表面には、図７（Ａ）に示すように、外周面タンブラ１２１および第１鍵穴タンブラ１２２の各一部をそれぞれ径方向に沿ってスライド可能な状態で保持する凹状に窪んだ２つの第１収容凹部１１２ａ，１１２ｂがそれぞれ形成されている。
【００２３】
外周面タンブラ１２１は、第１タンブラ保持体１１２の外周面から突出する半円状の外周面突起部１２１ａと、同外周面突起部１２１ａの図示下方において図示左右方向にそれぞれ湾曲して腕状に延びる外周面板バネ部１２１ｂと、同各外周面板バネ部１２１ｂの中央部から図示下方に向って直線状に延びる１本のセンタータンブラ１２１ｃと、同センタータンブラ１２１ｃの図示左右方向において外周面板バネ部１２１ｂから図示下方にそれぞれ直線状に延びるサイドタンブラ１２１ｄとで構成された合成樹脂性の板状体である。そして、第１収容凹部１１２ａは、外周面板バネ部１２１ｂのスライド変位を規制しつつ外周面突起部１２１ａ、センタータンブラ１２１ｃおよびサイドタンブラ１２１ｄを、外周面突起部１２１ａが第１タンブラ保持体１１２の外周面から出没する径方向にそれぞれスライド変位可能な形状に形成されている。
【００２４】
第１鍵穴タンブラ１２２は、左右対称に形成された一対の合成樹脂製の板状体で構成されており、それぞれの板状体に、鍵穴１１１内に突出する第１鍵穴突起部１２２ａと、同第１鍵穴突起部１２２ａに隣接して図示下方に湾曲して腕状に延びる鍵穴板バネ部１２２ｂと、同鍵穴板バネ部１２２ｂの反対側であって前記サイドタンブラ１２１ｄに対向する位置に水平状に形成された第１規制部１２２ｃと、同第１規制部１２２ｃ上における前記第１鍵穴突起部１２２ａ側に前記サイドタンブラ１２１ｄが嵌合可能な凹形状に窪んで形成された嵌合凹部１２２ｄとがそれぞれ形成されて構成されている。そして、第１収容凹部１１２ｂは、鍵穴板バネ部１２２ｂのスライド変位を規制しつつ第１鍵穴突起部１２２ａ、第１規制部１２２ｃおよび嵌合凹部１２２ｄを、第１鍵穴突起部１２２ａが鍵穴１１１内から出没する径方向にそれぞれスライド変位可能な形状に形成されている。
【００２５】
また、第１タンブラ保持体１１２における一方の表面には、第１タンブラ保持体１１２を他の第１タンブラ保持体１１３，１１４および第２タンブラ保持体１１５，１１６，１１７に互いに連結するための円柱状のボス１１２ｃおよび同ボス１１２ｃに対応する形状の貫通孔１１２ｄがそれぞれ形成されている。また、第１タンブラ保持体１１２，１１３，１１４のうち、第１タンブラ保持体１１２のみの外周面上には、径方向に沿って突出する円柱状の起動棒１１２ｅが形成されている。
【００２６】
第２タンブラ保持体１１５，１１６，１１７は、図８に示すように、第１タンブラ保持体１１２，１１３，１１４と同様に、互いに対を成す一組の外周面タンブラ１２１と第２鍵穴タンブラ１２３とをそれぞれ保持する円形鍔状に形成された合成樹脂製の部品である。
これらの第２タンブラ保持体１１５，１１６，１１７は、互いに略同様の形状に構成されているため、共通部分について第２タンブラ保持体１１５のみを用いて説明する。この第２タンブラ保持体１１５における一方の表面には、外周面タンブラ１２１および第２鍵穴タンブラ１２３の各一部をそれぞれ径方向に沿ってスライド可能な状態で保持する凹状に窪んだ２つの第２収容凹部１１５ａ，１１５ｂがそれぞれ形成されている。
【００２７】
この場合、第２収容凹部１１５ａは、保持対象が外周面タンブラ１２１であるため、前記第１収容凹部１１２ａと同じ形状に形成されている。すなわち、第２収容凹部１１５ａは、外周面タンブラ１２１における外周面板バネ部１２１ｂのスライド変位を規制しつつ外周面突起部１２１ａ、センタータンブラ１２１ｃおよびサイドタンブラ１２１ｄを、外周面突起部１２１ａが第２タンブラ保持体１１５の外周面から出没する径方向にそれぞれスライド変位可能な形状に形成されている。
【００２８】
第２鍵穴タンブラ１２３は、左右対称に形成された一対の合成樹脂製の板状体で構成されており、それぞれの板状体に、鍵穴１１１内に突出する第２鍵穴突起部１２３ａと、同第２鍵穴突起部１２３ａに隣接して図示下方に湾曲して腕状に延びた鍵穴板バネ部１２３ｂと、同鍵穴板バネ部１２３ｂの反対側に水平状に形成された第２規制部１２３ｃと、同第２規制部１２３ｃ上における前記サイドタンブラ１２１ｄに対向する位置に同サイドタンブラ１２１ｄが嵌合可能な凹形状に窪んで形成された嵌合凹部１２３ｄとがそれぞれ形成されて構成されている。そして、第２収容凹部１１５ｂは、鍵穴板バネ部１２３ｂのスライド変位を規制しつつ第２鍵穴突起部１２３ａ、第２規制部１２３ｃおよび嵌合凹部１２３ｄを、第２鍵穴突起部１２３ａが鍵穴１１１内から出没する径方向にそれぞれスライド変位可能な形状に形成されている。
【００２９】
また、第２タンブラ保持体１１５における一方の表面には、第２タンブラ保持体１１５を他の第２タンブラ保持体１１６，１１７および第１タンブラ保持体１１２，１１３，１１４に互いに連結するための円柱状のボス１１５ｃおよび同ボス１１５ｃに対応する形状の貫通孔１１５ｄがそれぞれ形成されている。また、第２タンブラ保持体１１５，１１６，１１７のうち、第２タンブラ保持体１１６のみの外周面上には、径方向に向って突出する円柱状の起動棒１１６ｄが形成されている。なお、図８においては、起動棒１１６ｅは、二点鎖線（想像線）で示している。
【００３０】
蓋プレート１１８は、第２タンブラ保持体１１５に保持された外周面タンブラ１２１および第２鍵穴タンブラ１２３が第２収容凹部１１５ｂから脱落することを防ぐための合成樹脂製の板状体である。この蓋プレート１１８は、第２タンブラ保持体１１５に形成されたボス１１５ｃに嵌合する嵌合孔１１８ａを備えている。そして、これらの第１タンブラ保持体１１２，１１３，１１４、第２タンブラ保持体１１５，１１６，１１７および蓋プレート１１８は、図示下から順に蓋プレート１１８、第２タンブラ保持体１１５、第１タンブラ保持体１１２、第１タンブラ保持体１１３、第２タンブラ保持体１１６、第１タンブラ保持体１１４および第２タンブラ保持体１１７の順番で積み重ねられてシリンダ体１１０を構成している。このように構成されたシリンダ体１１０は、上カバー１０３におけるシリンダ収容部１０４内に収容される。この場合、シリンダ体１１０は、シリンダ体１１０の外周面上から突出する外周面突起部１２１ａがロック凹部１０４ａ内に位置する向きでシリンダ収容部１０４内に収容される。
【００３１】
ロック機構１３０は、図示しないバッグの開口部に設けられた開口部開閉用のファスナの把持部Ｔを開放可能に保持するものであり、主として、昇降体１３１および歯車体１３２によって構成されている。昇降体１３１は、歯車体１３２を一方向（図４において破線矢印方向）に回転可能に保持した状態でシリンダ体１１０によってシリンダ体１１０の軸線方向に沿って昇降変位する合成樹脂製の部品である。この昇降体１３１は、歯車体１３２を回転可能に保持する鉤爪状の保持部１３１ａと、同保持部１３１ａの上部に形成されて歯車体１３２の回転方向を一方向（図示破線矢印方向）に規制するための爪部１３１ｂと、上カバー１０３のロック機構収容部１０５内に形成された案内軸１０５ａが摺動可能な状態で貫通する案内孔１３１ｃと、昇降体１３１を昇降変位させるためにシリンダ体１１０の外周面から突出する起動棒１１２ｅ，１１６ｅが摺動可能な状態でそれぞれ嵌合する斜め溝状の２つの嵌合カム溝１３１ｄとが一体的に形成されて構成されている。
【００３２】
歯車体１３２は、中心軸から放射状に５つの爪１３２ａが延びた形状に形成された合成樹脂製の歯車部品である。この歯車体１３２は、前記昇降体１３１の爪部１３１ｂによって回転方向が図示反時計回りのみに規制された状態で保持部１３１ａに保持されている。このように構成されたロック機構１３０は、歯車体１３２を保持した昇降体１３１の案内孔１３１ｃに上カバー１０３の案内軸１０５ａが摺動自在に挿入されるとともに同昇降体１３１の嵌合カム溝１３１ｄにシリンダ体１１０の起動棒１１２ｅ，１１６ｅが摺動自在に挿入された状態で上カバー１０３のロック機構収容部１０５内に収容されている。
【００３３】
ここで、把持部Ｔは、図示しないバッグの開口部を開閉するためのファスナにおいて務歯上をスライドするスライダの持ち手となる部分であり、ケーシング１０２の側面部に形成された開口部１０７に対応する形状の合成樹脂製の板状体である。この把持部Ｔには、歯車体１３２の歯部１３２ａが嵌まり込む方形状の貫通孔であるロック孔Ｈが形成されている。なお、図１においては、把持部Ｔの先端部側のみを破断図として示している。
【００３４】
このシリンダ錠１００は、シリンダ体１１０に形成された鍵穴１１１に嵌合するキー１４０を備えている。キー１４０は、シリンダ体１１０の鍵穴１１１に挿し込まれて、シリンダ体１１０を回転変位させることによりロック機構１３０を開錠状態または施錠状態にするための板状に形成した合成樹脂製の道具である。具体的には、キー１４０には、鍵穴１１１内に突出する第１鍵穴突起部１２２ａを押圧する平面部１４１と、同鍵穴１１１内に突出する第２鍵穴突起部１２３ａを押圧しない逃げ部となる凹状のディンプル部１４２と、外周面タンブラ１２１のセンタータンブラ１２１ｃが嵌合する回転時嵌合穴１４３とで構成されている。これらの平面部１４１、ディンプル部１４２および回転時嵌合穴１４３は、シリンダ体１１０を構成する第１タンブラ保持体１１２、１１３、１１４および第２タンブラ保持体１１５、１１６、１１７の積層の組合せ内容に対応してそれぞれ形成される。
【００３５】
（シリンダ錠１００の作動）
次に、このように構成したシリンダ錠１００の作動について説明する。まず、シリンダ錠１００の使用者は、錠本体１０１が設けられたバッグ（図示せず）を用意する。次に、使用者は、バッグに設けられたシリンダ錠１００を用いてバッグの開口部に設けられたファスナの施錠を行なう。具体的には、使用者は、バッグに設けられたファスナの把持部Ｔを操作することによりスライダを変位させてバッグの開口部を閉じた後、同把持部Ｔを錠本体部１０１の側面部に形成された開口部１０７内に挿入する。この場合、ロック機構１３０における歯車体１３２は、図４において破線矢印で示すように、把持部Ｔの先端部に押されて図示反時計回りに回転するため、同把持部Ｔに押された歯部１３２ａの後続の歯部１３２ａがロック孔Ｈに嵌まり込む。なお、図４においては、把持部Ｔおよびロック孔Ｈを二点鎖線（想像線）で示している。
【００３６】
また、この場合、歯車体１３２は、昇降体１３１の爪部１３１ｂによって時計回りの回転が規制されている。このため、歯部１３２ａが嵌まり込んだ把持部Ｔは抜き出す方向への変位が規制される。また、歯車体１３２を保持する昇降体１３１は、嵌合カム溝１３１ｄ内における上側の溝部分にシリンダ体１１０から突出する起動棒１１２ｅ，１１６ｅがそれぞれ位置しているため、ロック機構収容部１０５内における底面カバー１０６側に位置決めされている。これらにより、把持部Ｔが錠本体１０１に連結されてバッグの開口部が開口不能な状態、すなわち、施錠された状態となる。
【００３７】
次に、シリンダ錠１００を開錠する場合においては、使用者は、キー１４０を用意する。そして、使用者は、キー１４０を錠本体１０１における鍵穴１１１内に挿入する。この場合、キー１４０が錠本体１０１に対して正規のキーである場合には、鍵穴１１１内にて突出する第１タンブラ収容体１１２，１１３，１１４における各第１鍵穴突起部１２２ａにキー１４０の平面部１４１がそれぞれ位置するとともに、第２タンブラ収容体１１５，１１５，１１６における各第２鍵穴突起部１２３ａにキー１４０のディンプル部１４２がそれぞれ位置する。
【００３８】
この場合、図７（Ｂ）の破線矢印に示すように、各第１鍵穴突起部１２２ａはキー１４０の平面部１４１によって径方向外側に押されるため、各第１鍵穴突起部１２２ａ，第１規制部１２２ｃおよび嵌合凹部１２２ｄは、鍵穴板バネ部１２２ｂの弾性力に抗しながら第１収容凹部１１２ｂ内を径方向外側に向ってそれぞれスライド変位する。これにより、各第１鍵穴タンブラ１２２は、同各第１鍵穴タンブラに形成された嵌合凹部１２２ｄが外周面タンブラ１２１に形成されたサイドタンブラ１２１ｄに対向する位置にそれぞれ位置決めされる。なお、図７（Ｂ）においてはキー１４０を二点鎖線（想像線）で示している。
【００３９】
一方、第２鍵穴突起部１２３ａが形成された各第２鍵穴タンブラ１２３は、第２鍵穴突起部１２３ａがキー１４０のディンプル部１４２内に位置して押圧されないため、第２鍵穴突起部１２３ａが鍵穴１１１内に突出した状態が維持される。これにより、第２鍵穴タンブラ１２３は、同第２鍵穴タンブラ１２３に形成された嵌合凹部１２３ｄの位置が外周タンブラ１２１に形成されたサイドタンブラ１２１ｄに対向する位置に維持される。
【００４０】
そして、使用者は、キー１４０を鍵孔１１１内に挿し込んだ状態で図示右回りに回動操作する。この操作により、上カバー１０３のシリンダ収容部１０４内に収容されたシリンダ体１１０は、図示右回りに回転摺動を開始する。回転摺動を開始したシリンダ体１１０は、シリンダ収容部１０４のロック凹部１０４ａ内に位置する各外周面突起部１２１ａがシリンダ収容部１０４の内周面に押圧される。この場合、第１タンブラ保持体１１２，１１３，１１４および第２タンブラ保持体１１５，１１６，１１７にそれぞれ保持された各一対の外周面タンブラ１２１と第１鍵穴タンブラ１２２、および外周面タンブラ１２１と第２鍵穴タンブラ１２３においては、各サイドタンブラ１２１ｄに対して嵌合凹部１２２ｄ，１２３ｄがそれぞれ対向した位置に位置決めされている。すなわち、外周面タンブラ１２１は、第１鍵穴タンブラ１２２および第２鍵穴タンブラ１２３側にそれぞれスライド変位可能な状態にある（図７（Ｂ）、図８参照）。これにより、シリンダ体１１０は、図７（Ｂ）および図８の破線矢印に示すように、外周面突起部１２１ａを第１タンブラ保持体１１２，１１３，１１４および第２タンブラ保持体１１５，１１６，１１７内にそれぞれ没入させながら回転摺動する。
【００４１】
シリンダ体１１０が回転摺動すると、シリンダ体１１０の外周面上に突出する起動棒１１２ｅ，１１６ｅもシリンダ体１１０の回転とともにシリンダ体１１０を回転軸として昇降体１３１の嵌合カム溝１３１ｃ内を回転変位する。この場合、嵌合カム溝１３１ｃは、底面カバー１０６側に傾斜して形成されている。このため、嵌合カム溝１３１ｃを介して起動棒１１２ｅ，１１６ｅが嵌合する昇降体１３１は、案内棒１０５ａにガイドされて上カバー１０３のロック機構収納部１０５内の天井部に向って変位する。
【００４２】
これにより、ロック機構１３０の昇降体１３１に支持された歯車体１３２と底面カバー１０６との間に隙間が形成されるため、使用者は把持部Ｔをケーシング１０２内から引き抜くことができる。すなわち、バッグの開口部が開口可能な状態である開錠状態となる。一方、昇降体１３１の上面から突出する歯車体１３２の爪１３２ａは、ロック機構収容部１０５に形成された逃げ部１０５ｂ内に位置した状態となる。
【００４３】
また、シリンダ体１１０が回転する際、シリンダ収容部１０４の内周面によって各第１タンブラ保持体１１２，１１３，１１４および各第２タンブラ保持体１１５，１１６，１１７の径方向内側にスライド変位した外周面タンブラ１２１ａのセンタータンブラ１２１ｃは、キー１４０の回転時嵌合孔１４３に嵌合する。これにより、不正なキー１４０によるシリンダ体１１０の回転操作が防止されるとともに、シリンダ体１１０の回転操作時のキー１４０の抜けや位置変化を防止することができる。
【００４４】
そして、キー１４０をシリンダ体１１０から抜く際には、使用者は、キー１４０を図示左回りに回転操作して元の位置に戻す。これにより、各第１タンブラ保持体１１２，１１３，１１４および各第２タンブラ保持体１１５，１１６，１１７の各外周面タンブラ１２１ａは、外周面板バネ部１２１ｂの弾性力によって再びシリンダ体１１０の外周面上に突出してシリンダ収容部１０４のロック凹部１０４ａ内に嵌合するとともに、外周面タンブラ１２１ａのセンタータンブラ１２１ｃがキー１４０の回転時嵌合孔１４３から抜ける。この結果、シリンダ体１１０の鍵穴１１１からキー１４０を抜くことができる状態となるととに、ロック機構１３０の昇降体１３１が底面カバー１０６側に変位する。そして、使用者がキー１４０を鍵穴１１１から抜き取ることにより、第１鍵穴突起部１２２ａが鍵穴１１１内に突出するように第１タンブラ保持体１１２，１１３，１１４内を変位することにより、シリンダ体１１０は再び回転不能な状態に戻る。
【００４５】
一方、シリンダ錠１００の開錠操作において、不正なキー１４０が用いられた場合においては、シリンダ体１１０を回転操作することができないためシリンダ錠１００が開錠することはない。すなわち、キー１４０における平面部１４１、ディンプル部１４２および回転時嵌合穴１４３は、シリンダ体１１０を構成する第１タンブラ保持体１１２、１１３、１１４および第２タンブラ保持体１１５、１１６、１１７の積層の組合せ内容に対応してそれぞれ形成される。このため、すべての第１鍵穴突起部１２２ａを押圧しつつすべての第２の鍵穴突起部１２３ａを押圧しない平面部１４１およびディンプル部１４２の配置で、かつ、すべての外周面タンブラ１２１のセンタータンブラ１２１ｃと嵌合可能な回転時嵌合孔１４３を有するキー１４０でなければ、外周面突起部１２１ａが没入可能な状態とならないためシリンダ体１１０を回転させることは不可能である。
【００４６】
そして、この場合、第１タンブラ保持体１１２、１１３、１１４および第２タンブラ保持体１１５、１１６、１１７にそれぞれ保持された外周面タンブラ１２１は、不正なキー１４０の形状に寄らず第１タンブラ保持体１１２、１１３、１１４および第２タンブラ保持体１１５、１１６、１１７の内側に向って変位することはない。これにより、不正なキー１４０の形状に寄ってタンブラの位置決め位置が変化した従来のシリンダ錠とは異なり、タンブラの位置決め位置によって過大なせん断荷重の加わる部分が変化することはない。すなわち、外周面タンブラ１２１の外周面突起部１２１ａには、常に一定の範囲の部分にせん断荷重が加わることになるため、同外周面突起部１２１ａを破損することが防止される。
【００４７】
上記作動説明からも理解できるように、上記実施形態によれば、シリンダ錠１００は、ケーシング１０２の内周面に嵌り合う外周面突起部１２１ａを備える６つの外周面タンブラ１２１のスライド変位が、シリンダ体１１０の鍵穴１１１へのキー１４０の挿入によりスライド変位する第１鍵穴タンブラ１２２および第２鍵穴タンブラ１２３によってそれぞれ規制される構成となっている。すなわち、シリンダ錠１１０は、外周面タンブラ１２１のスライド変位が第１鍵穴タンブラ１２２および第２鍵穴タンブラ１２３によって許容されない限り外周面突起部１２１ａがシリンダ体１１０の外周面より内側に変位することはない。したがって、シリンダ体１１０の外周面上における外周面突起部１２１ａの突出量がシリンダ体１１０の鍵穴１１１に挿入されるキー１４０の形状に寄って変化することがないため、外周面突起部１２１ａの突出量に応じてせん断荷重が掛かる位置が変化することがなく、外周面突起部１２１ａには常に一定の範囲にせん断荷重が掛かる。これにより、正規のキー１４０とは異なる不正なキー１４０が挿入されて回動操作された場合であってもシリンダ体１１０内の外周面タンブラ１２１、第１鍵穴タンブラ１２２および第２鍵穴タンブラ１２３の破損を防止することができる。
【００４８】
さらに、本発明の実施にあたっては、上記実施形態に限定されるものではなく、本発明の目的を逸脱しない限りにおいて種々の変更が可能である。
【００４９】
例えば、上記実施形態においては、シリンダ体１１０は、各３つずつの第１タンブラ保持体１１２，１１３，１１４および第２タンブラ保持体１１４，１１５，１１６によって構成した。しかし、シリンダ体１１０は、少なくもと１つずつの第１タンブラ保持体１１２，１１３，１１４および第２タンブラ保持体１１４，１１５，１１６であれば構成することができ、必ずしも、上記実施形態に限定されるものではない。すなわち、シリンダ体１１０は、少なくとも、一対の外周面タンブラ１２１と第１鍵穴タンブラ１２２、および一対の外周面タンブラ１２１と第２鍵穴タンブラ１２３を備えていれば良い。
【００５０】
また、シリンダ体１１０を構成する第１タンブラ保持体１１２，１１３，１１４および第２タンブラ保持体１１４，１１５，１１６の各枚数や積層の順番は、シリンダ錠１００の開錠条件を規定するものであるため、シリンダ錠１００ごとに自由に設定すればよい。
【００５１】
また、上記実施形態においては、外周面タンブラ１２１、第１鍵穴タンブラ１２２および第２鍵穴タンブラ１２３は、外周面突起部１２１ａ、第１鍵穴突起部１２２ａ、第２鍵穴突起部１２３ａをそれぞれシリンダ体１１０の外周面または内周面に突出させるために外周面板バネ部１２１ｂ、鍵穴板バネ部１２２ｂ，１２３ｂを一体成形により設けた。しかし、外周面タンブラ１２１、第１鍵穴タンブラ１２２および第２鍵穴タンブラ１２３は、外周面突起部１２１ａ、第１鍵穴突起部１２２ａ、第２鍵穴突起部１２３ａをそれぞれシリンダ体１１０の外周面または内周面に突出させることができれば、必ずしも、外周面板バネ部１２１ｂ、鍵穴板バネ部１２２ｂ，１２３ｂを一体成形により設ける必要はない。すなわち、外周面タンブラ１２１、第１鍵穴タンブラ１２２および第２鍵穴タンブラ１２３は、これらとは別体構成の外周面板バネ部１２１ｂ、鍵穴板バネ部１２２ｂ，１２３ｂによって押圧されるように構成されていても良い。
【００５２】
また、上記実施形態においては、シリンダ錠１００は、錠本体１０１（ケーシング１０２、シリンダ体１１０、ロック機構１３０）およびキー１４０のすべてを合成樹脂（本実施形態においては、ポリアセタール樹脂（ＰＯＭ））で形成した。しかし、シリンダ錠１００は、構成部品の全部または一部を他の種類の合成樹脂または合成樹脂以外の素材、例えば、鉄や軽金属などの金属、木質素材（木材と合成樹脂とを混合した材料を含む）などを用いて構成することもできる。
【００５３】
また、上記実施形態においては、本発明に係るシリンダ錠１００をバッグの開口部に設けられたファスナの施錠用の鍵として適用した。しかし、本発明に係るシリンダ錠１００は、バッグ以外の鍵、例えば、ロッカー、金庫または建具を施錠する鍵として用いることができる。
【符号の説明】
【００５４】
Ｔ…把持部、Ｈ…ロック孔、
１００…シリンダ錠、１０１…錠本体、１０２…ケーシング、１０３…上カバー、１０４…シリンダ収容部、１０４ａ…ロック凹部、１０５…ロック機構収容部、１０５ａ…案内軸、１０５ｂ…逃げ部、１０６…底面カバー、１０７…開口部、
１１０…シリンダ体、１１１…鍵穴、１１２，１１３，１１４…第１タンブラ保持体、１１５，１１６，１１７…第２タンブラ保持体、１１２ａ，１１２ｂ…第１収容凹部、１１５ａ，１１５ｂ…第２収容凹部、１１２ｅ，１１６ｅ…起動棒、１１８…蓋プレート、
１２１…外周面タンブラ、１２１ａ…外周面突起部、１２１ｂ…外周面板バネ部、１２１ｃ…センタータンブラ、１２１ｄ…サイドタンブラ、
１２２…第１鍵穴タンブラ、１２２ａ…第１鍵穴突起部、１２２ｂ…鍵穴板バネ部、１２２ｃ…第１規制部、１２２ｄ…嵌合凹部、
１２３…第２鍵穴タンブラ、１２３ａ…第２鍵穴突起部、１２３ｂ…鍵穴板バネ部、１２３ｃ…第２規制部、１２３ｄ…嵌合凹部、
１３０…ロック機構、１３１…昇降体、
１４０…キー、平面部…１４１、ディンプル部…１４２、回転時嵌合穴…１４３。
【図１】
2012036702.tif 000003
【図２】
2012036702.tif 000004
【図３】
2012036702.tif 000005
【図４】
2012036702.tif 000006
【図５】
2012036702.tif 000007
【図６】
2012036702.tif 000008
【図７】
2012036702.tif 000009
【図８】
2012036702.tif 000010